(57)【要約】      （修正有）【課題】全閉位置で可動本体および静止本体の端面が近接するとともに１８０度開閉でき、コンビニエンスストア、業務用ダイニングキッチンやスナックバーで設置される跳ね上げ式カウンタ用などに適した旋回制動機構を提供する。【解決手段】旋回制動機構は、全閉時において両ブラケットが近接し、全開時において可動ブラケット１２は静止ブラケット１０と垂直方向で離隔し、プラスチック製の第１および第２リンク１４，１６の貫通孔４１がブラケットの固定シャフト２８にそれぞれ密に圧入されることにより、可動ブラケットの旋回を全閉から全開放位置まで常に制動する。【選択図】図５
0003191536.tif 000002
【実用新案登録請求の範囲】
【請求項１】
可動本体および静止本体にそれぞれ取り付ける１対のブラケットと、１対のブラケットを回動可能に連結する１対のＵ字形リンクとを備え、Ｕ字形側面を有する第１リンクは遊動シャフトを介して可動ブラケットに軸着されるとともに固定シャフトによって静止ブラケットに枢着され、一方、第２リンクは遊動シャフトを介して静止ブラケットに軸着されるとともに固定シャフトを介して可動ブラケットに軸着される旋回制動機構であって、全閉時において両ブラケットが近接し、全開時において可動ブラケットは静止ブラケットと垂直方向で離隔し、プラスチック製の第１および第２リンクの貫通孔がブラケットの固定シャフトにそれぞれ密に圧入されることにより、可動ブラケットの旋回を全閉から全開放位置まで常に制動する旋回制動機構。
【請求項２】
可動本体および静止本体にそれぞれ取り付ける１対のブラケットと、１対のブラケットを回動可能に連結する１対のＵ字形リンクとを備え、横長のＵ字形側面を有する第１リンクは遊動シャフトを介して可動ブラケットに軸着されるとともに回動シャフトによって静止ブラケットに枢着され、一方、第２リンクは遊動シャフトを介して静止ブラケットに軸着されるとともに回動シャフトを介して可動ブラケットに軸着される旋回制動機構であって、全閉時において両ブラケットが近接し、全開時において可動ブラケットは静止ブラケットと垂直方向で離隔し、第１および第２リンクが回動シャフトにそれぞれ固着され、各回動シャフトに対して、該シャフトとともに回転するワッシャおよびプラスチック製の制動部材を嵌装するともに、さらに皿バネを挿入してナットで締め付けることにより、ブラケットの側面と制動部材の側面とが摩擦面となり、可動ブラケットの旋回を全閉から全開放位置まで常に制動する旋回制動機構。
【請求項３】
可動本体および静止本体にそれぞれ取り付ける１対のブラケットと、１対のブラケットを回動可能に連結する１対のＵ字形リンクとを備え、Ｕ字形側面を有する第１リンクは遊動シャフトを介して可動ブラケットに軸着されるとともに固定シャフトによって静止ブラケットに枢着され、一方、第２リンクは遊動シャフトを介して静止ブラケットに軸着されるとともに固定シャフトを介して可動ブラケットに軸着される旋回制動機構であって、全閉時において両ブラケットが近接し、全開時において可動ブラケットは静止ブラケットと垂直方向で離隔し、第１および第２リンクに取り付ける板バネ製で湾曲状の保持プラグと、該プラグで外周が取り囲まれ且つ固定シャフトに密に嵌装するプラスチック制動筒体と、制動筒体および保持プラグの平行延長部を貫通してリンク前端部にねじ込むボルトとを有し、該ボルトによって保持プラグで制動筒体を内方へ締め付けることにより、可動ブラケットの旋回を全閉から全開放位置まで常に制動する旋回制動機構。
【請求項４】
第１および第２リンクは、ほぼ中間部を水平に貫通する連絡シャフトによって相互に回動可能に接続される請求項１、２または３記載の旋回制動機構。
【請求項５】
遊動シャフトはブラケット側壁に形成した横スロット内に水平に収納し、可動ブラケットつまりリンクの旋回位置に応じて遊動シャフトは横スロット内を摺動する請求項１、２または３記載の旋回制動機構。
【考案の詳細な説明】
【技術分野】
【０００１】
本考案は、全閉位置で可動本体および静止本体の端面が近接するとともに１８０度開閉でき、コンビニエンスストア、業務用ダイニングキッチンやスナックバーで設置される跳ね上げ式カウンタ用などに適した旋回制動機構に関する。
【背景技術】
【０００２】
コンビニエンスストアまたは業務用ダイニングキッチンでは、特開２００５−２１１１２５号で開示のように、レジカウンタなどを含む長寸のカウンタが設置され、このカウンタ内へ人が出入りができるように、その一部に跳ね上げ式カウンタを配置している。この跳ね上げ式カウンタでは、可動天板の片縁がヒンジを介して固定天板に回動可能に連結され、カウンタ通行時にはこの可動天板を跳ね上げ、１８０度旋回するまで回動させる。この跳ね上げ式カウンタを設置するとともに、所望に応じて可動天板の下方にスイング戸を取り付けてもよい。
【０００３】
通常のヒンジを跳ね上げ式カウンタの回動のために取り付けると、可動天板を閉じた通常の状態において、該ヒンジの軸部が可動天板の平面から突き出てしまう。突き出たヒンジ軸部は、運搬すべき商品を可動天板の上に載せた時に引っ掛かったり、カウンタ天板を拭き掃除する際に引っ掛けてケガをするので好ましくない。また、通常のヒンジは、複数個を天板端面の数カ所に取り付けると、可動天板を閉じた時に該可動本体と静止天板との間に隙間が生じるので、商品としての見栄えが悪くなる。
【０００４】
跳ね上げ式カウンタは、通常、跳ね上げ開閉の際に可動天板を常に持っていないと、該可動天板が回動途中から自重で水平位置まで落下してしまい、大きな衝撃や騒音が発生する。このため、特開２００７−３１５０１３号では、所定の回動抵抗を有するトルクヒンジを用いることにより、天板が自重で自由落下することを規制している。この結果、可動天板は、どの角度の開口位置でも手を離すとその位置で静止し、水平位置まで自由落下することは起こらない。この可動天板は、手によって開いた状態から下方へ回動させ、水平位置に近づいたら、手で押さえるように閉鎖すればよい。この旋回制動機構は、ヒンジが天板表面より下方に位置し且つ可動天板と固定天板との間が隙間が生じないうえに、可動天板が自重で落下して衝撃や騒音の生ずることもない。
【先行技術文献】
【特許文献】
【０００５】
【特許文献１】特開２００５−２１１１２５号公報
【特許文献２】特開２００７−３１５０１３号公報
【考案の概要】
【考案が解決しようとする課題】
【０００６】
特開２００７−３１５０１３号で開示の旋回制動機構は、ヒンジが天板表面の下方に収納され且つ可動天板と固定天板との間が平坦で近接するので美麗であるけれども、可動天板の開放角度が９５〜１００度に限定され、最大開口でも可動天板が立った状態になる。跳ね上げ式カウンタは、人が手ぶらで通過するだけでなく、特にコンビニエンスストアでは、配達荷物や店内商品を持った状態で通過することが多いため、開いた可動天板が立った状態であると荷物が可動天板に引っ掛かり、その荷物を傷付けたり落としたりする事故が発生しがちになる。
【０００７】
本出願人は、跳ね上げ式カウンタ用ヒンジとして既に特願２０１１−１６０６０４号などを提案している。本考案の旋回制動機構は、特願２０１１−１６０６０４号に開示の旋回制動機構と比べると、使用パーツが少なくて安価に製造できるうえに、設置に際して両天板の端面に矩形孔を形成するだけでよく、被取付側のカウンタ側の切り込み加工などを要しないので設置が容易である。
【０００８】
本考案は、従来の跳ね上げ式カウンタ用ヒンジなどに関する前記の問題点を改善するために提案されたものであり、構造が単純で使用パーツが比較的少なく、いずれの開放位置においても、可動天板の回動を制動して確実に静止できる旋回制動機構を提供することを目的としている。本考案の他の目的は、可動天板を全開放つまり１８０度水平になるまで回動でき、両天板への取付も比較的容易である旋回制動機構を提供することである。
【課題を解決するための手段】
【０００９】
本考案に係る旋回制動機構は、可動本体および静止本体にそれぞれ取り付ける１対のブラケットと、１対のブラケットを回動可能に連結する１対のＵ字形リンクとを備え、Ｕ字形側面を有する第１リンクは遊動シャフトを介して可動ブラケットに軸着されるとともに固定シャフトによって静止ブラケットに枢着され、一方、第２リンクは遊動シャフトを介して静止ブラケットに軸着されるとともに固定シャフトを介して可動ブラケットに軸着される。この旋回制動機構は、全閉時において両ブラケットが近接し、全開時において可動ブラケットは静止ブラケットと垂直方向で離隔し、プラスチック製の第１および第２リンクの貫通孔がブラケットの固定シャフトにそれぞれ密に圧入されることにより、可動ブラケットの旋回を全閉から全開放位置まで常に制動する。
【００１０】
本考案に係る他の旋回制動機構は、可動本体および静止本体にそれぞれ取り付ける１対のブラケットと、１対のブラケットを回動可能に連結する１対のＵ字形リンクとを備え、横長のＵ字形側面を有する第１リンクは遊動シャフトを介して可動ブラケットに軸着されるとともに回動シャフトによって静止ブラケットに枢着され、一方、第２リンクは遊動シャフトを介して静止ブラケットに軸着されるとともに回動シャフトを介して可動ブラケットに軸着される。この旋回制動機構は、全閉時において両ブラケットが近接し、全開時において可動ブラケットは静止ブラケットと垂直方向で離隔し、第１および第２リンクが回動シャフトにそれぞれ固着され、各回動シャフトに対して、該シャフトとともに回転するワッシャおよびプラスチック製の制動部材を嵌装するともに、さらに皿バネを挿入してナットで締め付けることにより、ブラケットの側面と制動部材の側面とが摩擦面となり、可動ブラケットの旋回を全閉から全開放位置まで常に制動する。
【００１１】
本考案に係る別の旋回制動機構は、可動本体および静止本体にそれぞれ取り付ける１対のブラケットと、１対のブラケットを回動可能に連結する１対のＵ字形リンクとを備え、Ｕ字形側面を有する第１リンクは遊動シャフトを介して可動ブラケットに軸着されるとともに固定シャフトによって静止ブラケットに枢着され、一方、第２リンクは遊動シャフトを介して静止ブラケットに軸着されるとともに固定シャフトを介して可動ブラケットに軸着される。この旋回制動機構は、全閉時において両ブラケットが近接し、全開時において可動ブラケットは静止ブラケットと垂直方向で離隔し、第１および第２リンクに取り付ける板バネ製で湾曲状の保持プラグと、該プラグで外周が取り囲まれ且つ固定シャフトに密に嵌装するプラスチック制動筒体と、制動筒体および保持プラグの平行延長部を貫通してリンク前端部にねじ込むボルトとを有し、該ボルトによって保持プラグで制動筒体を内方へ締め付けることにより、可動ブラケットの旋回を全閉から全開放位置まで常に制動する。
【００１２】
本考案に係る旋回制動機構において、第１および第２リンクは、ほぼ中間部を水平に貫通する連絡シャフトによって相互に回動可能に接続されると好ましい。また、遊動シャフトはブラケット側壁に形成した横スロット内に水平に収納し、可動ブラケットつまりリンクの旋回位置に応じて遊動シャフトは横スロット内を摺動する。
【考案の効果】
【００１３】
本考案に係る旋回制動機構は、構造が単純で使用パーツ数が比較的少ないので安価であり、既存品とのコスト差は小さいので既存品の用途にも即適合可能である。本考案に係る旋回制動機構は、跳ね上げ式カウンタに取り付けると、場合に応じて可動天板を回動中途で静止させることができ、可動天板の閉鎖時に天板表面から突出する部分がなく、しかも可動天板を１８０度開放で水平になるまで回動させて完全開放できるので、配達荷物や店内商品を持った状態で通過してもそれらが可動天板に引っ掛かることがない。
【００１４】
本考案に係る旋回制動機構は、跳ね上げ式カウンタに取り付けると、いずれの位置においても、可動天板の回動を制動することにより、可動天板から手を離しても自由落下することがなく、該可動天板の落下による騒音や指詰め事故を未然に防止できる。本考案の旋回制動機構は、跳ね上げ式カウンタの両端面に矩形孔をそれぞれ切削加工して取付けると、機構全体が天板表面の下方に収納されて表側から見えず、全体が面一になってカウンタの美観を損なうことがない。本考案の旋回制動機構は、コンビニエンスストア、業務用ダイニングキッチンやスナックバーで設置される跳ね上げ式カウンタだけでなく、開閉が約１８０度以下である各種の開閉機器に取り付けることができる。
【図面の簡単な説明】
【００１５】
【図１】本考案に係る旋回制動機構を適用した跳ね上げカウンタを示す部分斜視図である。
【図２】全閉位置における本考案の旋回制動機構を上側から示す斜視図である。
【図３】全開位置における本考案の旋回制動機構の左側を下側から示す斜視図である。
【図４】全開位置における本考案の旋回制動機構の左側面図である。
【図５】可動ブラケットの全閉状態を示す旋回制動機構の概略断面図である。
【図６】可動ブラケットの半開状態を示す旋回制動機構の概略断面図である。
【図７】可動ブラケットの全開状態を示す旋回制動機構の概略断面図である。
【図８】本考案で用いるリンクの変形例を示す側面図である。
【図９】図８のリンクに用いる制動筒体の斜視図である。
【図１０】リンクの別の変形例を示す部分断面図である。
【図１１】リンクのさらに別の変形例を示す側面図である。
【図１２】図１１のリンクにおける制動作用部を示す分解断面図である。
【考案を実施するための形態】
【００１６】
本考案に係る旋回制動機構１（図２）は、図１に示すように、跳ね上げカウンタ３などに設置する場合には、可動本体が可動天板５に相当し、固定本体が固定天板７に相当する。この旋回制動機構は、図示のような跳ね上げ式カウンタだけでなく、約１８０度以下の開閉部材を備える各種の開閉機器に取り付けることができる。旋回制動機構１は、図２から図４に示すように、通常、対称形である静止ブラケット１０と可動ブラケット１２、第１リンク１４および第２リンク１６を有し、「静止」と「可動」および「第１」と「第２」の用語は説明のために便宜上使用している。例えば、ブラケット１０，１２は金属製であり、リンク１４，１６は耐磨耗性が優れたポリアセタールなどのプラスチック製または金属製である。
【００１７】
両ブラケット１０，１２は、図２および図４に例示するように、幅狭の前端部１８，１８が直角に屈曲したＵ字形平面を有し、各前端部にボルト用の皿孔２２を設ける。静止ブラケット１０には、その両側壁において左上隅に軸孔２４および中央上方に水平の横スロット２６を形成し、両側壁の軸孔２４で第１リンク用の固定または回動シャフト２８を水平に支持し、両側壁の横スロット２６で第２リンク用の遊動シャフト３０を摺動可能に水平に支持する。同様に、可動ブラケット１２には、その両側壁において右上隅に軸孔２４および中央上方に水平の横スロット２６を形成し、両側壁の軸孔２４で第２リンク用の固定または回動シャフト２８を水平に支持し、両側壁の横スロット２６で第１リンク用の遊動シャフト３０を摺動可能に水平に支持する。
【００１８】
両ブラケット１０，１２において、軸孔２４，２４で支持するシャフト２８は、その端部の一方または両方を異形断面に切削し、そこに同じ異形平面の軸孔に挿入してカシメ止めすれば固定シャフトであり、円形の軸孔に挿入して両端を保持すれば回動シャフトである(図１１、図１２参照)。一方、横スロット２６，２６で摺動可能に支持する遊動シャフト３０は、その両端において樹脂製のスラストワッシャを嵌めてから金属ワッシャ３３をカシメ止めすればよく、スラストワッシャの内径は遊動シャフト３０の外径にほぼ等しく、該ワッシャの小径部外径は横スロット２６の幅よりわずかに小さい。横スロット２６は、ブラケット側壁の横長さのほぼ半分であり、その両内端壁は遊動シャフト３０が近接できるように半円形平面であると好ましい。
【００１９】
両リンク１４，１６は、図４に示すように比較的横幅が広く、ほぼ中間部を水平に貫通する連絡シャフト３２によって相互に回動可能に接続され、両リンク間にワッシャ３４を介在させる。両リンク１４，１６は、図３および図５から図７に示すように、その側面が横長のＵ字形であり、両ブラケット１０，１２内で対称に配置される。リンク１４，１６において、シャフト３２による連結個所がある中間リンク部３６の前後端から同方向へ湾曲し、ほぼ直交配置の前リンク部３８および後リンク部４０を形成する。前リンク部３８は後リンク部４０よりも２倍近い長さである。
【００２０】
旋回制動機構１を設置するには、図１と図５から明らかなように、可動天板５および固定天板７の端面４２に矩形孔４４をそれぞれ形成し、該矩形孔の内寸はブラケット１０，１２の外寸にほぼ等しい。静止ブラケット１０を固定天板７の矩形孔４４に嵌入すると、該ブラケットの前端部１８，１８は固定天板７の端面４２の凹みと接触し、ボルト（図示しない）を皿孔２２，２２に挿入してブラケット１０をボルト止めする。次に、可動ブラケット１２を図７の全開位置まで旋回し、該ブラケットを可動天板５の矩形孔４４に嵌入して前記と同様にボルト止めすればよい。
【００２１】
両リンク１４，１６は、図５の全閉位置においてブラケット１０，１２内にリンク全体が収納されるように構成され、且つ前リンク部先端の遊動シャフト３０が横スロット２６内でほぼ後端部に位置する。後リンク部４０の先端貫通孔４１（図５）には固定シャフト２８が圧入され、前リンク部３８の先端貫通孔４５は遊動シャフト３０と緩く嵌合する。両リンク１４，１６は、図５から図７に示すように、連絡シャフト３２で中間リンク部３６の中間で接続されているため、可動ブラケット１２は静止ブラケット１０から横方向へ離れる方向や下向きに旋回できず、図５の矢印方向だけ旋回可能である。
【００２２】
図６のように可動ブラケット１２が旋回されると、リンク１４，１６の中間リンク部３６が上方へ回動し、同時にリンク１４，１６が接続されているので遊動シャフト３０，３０が横スロット２６内で前方へ摺動し、両ブラケット１０，１２の間隔が拡がりながら旋回するため、可動天板５と固定天板７が図５のように全閉位置で近接していても、可動天板５の旋回時に固定天板７の前端部と接触することはない。図７に示す全開位置に達すると、両ブラケット１０，１２は、リンク１４，１６の中間リンク部３６の長さから横スロット２６の高さ位置の長さを引いた分だけ高さ方向に離隔するので、天板５，７の表面が接触することはない。
【００２３】
旋回制動機構１は、両リンク１４，１６の貫通孔４１（図５）が固定シャフト２８に圧入されることによって制動作用を発揮する。貫通孔４１の内径は非圧入状態でシャフト２８の直径よりも僅かに小さい。このため、両リンク１４，１６は、例えば耐磨耗性のポリアセタール製であり、しかも図４に示すように横幅が広いことが好ましい。旋回制動機構１は、図１のような跳ね上げ式カウンタ３に取り付けると、可動天板５を任意の旋回位置で静止させることができ、しかも可動天板５を１８０度開放で水平になるまで旋回させて完全開放できる。
【００２４】
両リンク１４，１６が金属製や通常樹脂製であれば、図８に示すように、制動作用部として、各リンクの後リンク部４０に比較的大きい貫通孔５０を設ければよい。例えば、貫通孔５０は、その内周面において軸方向にキー溝５１を形成した円筒形状である。貫通孔５０にはプラスチック制動筒体５２（図９）を嵌合し、該制動筒体の円筒部５４の外径は貫通孔５０の内径とほぼ等しく、該円筒部の内径は非圧入状態でシャフト２８の直径よりも僅かに小さい。制動筒体５２は、例えば、耐磨耗性のポリアセタール製であるので長期間使用することが可能である。
【００２５】
旋回制動機構１における制動作用部は、図１０に示すようにリンク１４，１６の後リンク部４０において、プラスチック制動筒体７０と、該制動筒体の外周を取り囲む板バネ製の保持金具７２と、制動筒体７０および保持金具７２の平行延長部を貫通して後リンク部４０の底部７４にねじ込むボルト７６とで構成してもよい。また、シャフト２８をリンク１４，１６を一体化させ、該シャフトが旋回可能であるならば、図１１と図１２に示すように、制動ディスク９０，９２および金属ワッシャ８８，９４を皿バネ９６を介してナット９８で締め付ける構成でもよい。
【００２６】
旋回制動機構１は、構造が単純で使用パーツ数が比較的少なく、通常２組またはそれ以上を並置し、コンビニエンスストア、業務用ダイニングキッチンやスナックバーなどにおいて、図１に示すような比較的大型の跳ね上げ式カウンタ３の可動天板５および固定天板７に取り付けるのが一般的であっても、このような使用に限定されることはない。旋回制動機構１は、例えば、両リンク１４，１６の耐荷重や寸法などを変更すれば、地下収納庫の蓋またはマンホールの蓋などに適用することも可能である。
【実施例１】
【００２７】
次に、本考案を実施例に基づいて説明するが、本考案は実施例に限定されるものではない。図２から図４に示す旋回制動機構１は、Ｕ字形平面を有する両ブラケット１０，１２を用いる。両ブラケット１０、１２は、その両側壁の左上隅に一方のリンク用の固定シャフト２８を水平に支持し、且つ両側壁の中央上方に水平の横スロット２６を形成し、該横スロットで他方のリンク用の遊動シャフト３０を摺動可能に水平に支持する。
【００２８】
耐磨耗性ポリアセタール製の両リンク１４，１６は、図４に示すように横幅が広く、水平に貫通する連絡シャフト３２によって相互に回動可能に接続される。両リンク１４，１６は、図５から図７に示すように、その側面が横長のＵ字形であり、両ブラケット１０，１２内で対称に配置される。リンク１４，１６において、シャフト３２による連結個所がある中間リンク部３６の前後端から同方向へ湾曲し、ほぼ直交配置の前リンク部３８および後リンク部４０を形成する。旋回制動機構１は、両リンク１４，１６の後リンク部４０の貫通孔４１が固定シャフト２８に圧入されることによって制動作用を発揮する。
【００２９】
旋回制動機構１は、長寸のカウンタにおける跳ね上げカウンタ３（図１）において、可動天板５および固定天板７の対向端面４２に形成した矩形孔４４，４４内に両ブラケット１０，１２を嵌入し、ボルト（図示しない）を皿孔２２，２２に挿入して両ブラケットを天板５，７にそれぞれボルト止めする。跳ね上げカウンタ３において、可動天板５を固定天板７に対して約１８０度の全開放位置まで回動可能である（図７参照）。図１と図５に示すように、ブラケット１０，１２が各矩形孔４４内に収納されてボルト止めされると、両天板５，７の対向端面４２，４２が近接し、さらに天板表面が一致する。
【００３０】
図５において、可動ブラケット１２つまり可動天板５は全閉位置にある。両リンク１４，１６は、図５の全閉位置においてブラケット１０，１２内にリンク全体が収納されるように構成される。両リンク１４，１６は、図５に示すように、連絡シャフト３２で中間リンク部３６の中間で接続されているため、可動ブラケット１２は静止ブラケット１０から離れる方向や下向きに旋回できず、図５の矢印方向だけ旋回可能である。
【００３１】
可動ブラケット１２を図５から図６のように開いていくと、リンク１４，１６の中間リンク部３６が上方へ回動し、同時にリンク１４，１６が接続されているので遊動シャフト３０，３０が横スロット２６内で前方へ摺動し、両ブラケット１０，１２の間隔が拡がりながら旋回するため、可動天板５と固定天板７が図５のように全閉位置で近接していても、可動天板５の旋回時に固定天板７の前端部と接触することはない。可動ブラケット１２を図６の半開放位置まで回動する際に、可動天板５から手を離しても、該可動天板はその位置で静止する。
【００３２】
可動ブラケット１２がさらに旋回され、図７に示す全開位置に達すると、両ブラケット１０，１２は、リンク１４，１６の中間リンク部３６の長さから横スロット２６の高さ位置の長さを引いた分だけ高さ方向に離隔するので、天板５，７の表面が接触することはない。可動天板５を図６から図７までの位置で手を離したり、固定天板７の方へ急に押しても、該可動天板は緩やかに回動するので指詰め事故などが起こらない。可動ブラケット１２が１８０度旋回し、図７の全開放位置に達すると可動天板５は停止する。
【実施例２】
【００３３】
図８に示す金属製などのリンク１４，１６の制動作用部では、後リンク部４０に比較的大きい貫通孔５０を設け、該貫通孔は円形内周面において軸方向にキー溝５１を形成した円筒形状である。該貫通孔の前周端には、浅い円形凹部（図示しない）を形成する。貫通孔５０にはプラスチック制動筒体５２（図９）を嵌合し、該制動筒体の円筒部５４の外径は貫通孔５０の内径とほぼ等しく、該円筒部の内径は非圧入状態で固定シャフト２８の直径よりも僅かに小さい。
【００３４】
図９に示す制動筒体５２は耐磨耗性のポリアセタール製であり、フランジ部５４および円筒部５６とからなり、該円筒部の外径は貫通孔５０の内径とほぼ等しく、該円筒部の内径は非圧入状態でシャフト２８の直径よりも僅かに小さい。制動筒体５２を貫通孔５０内にそれぞれ収納すると、軸方向に設けたキー突条５８が貫通孔５０のキー溝５１と係合して静止し、且つフランジ部５４が貫通孔５０の円形凹部と密接することにより、制動筒体５２はフランジ部５４の一部を除いて貫通孔５０内に完全に嵌り込む。制動筒体５２の円筒部５４の長さは、貫通孔５０の距離と同じであってもそれ以下でもよい。
【００３５】
制動筒体５２をリンク１４，１６の貫通孔５０内に静止収納し、シャフト２８を制動筒体５２に圧入通過させると、リンク１４，１６を制動回転可能に支持できる。制動筒体５２は、固定シャフト２８とともに空回りしないように、該制動筒体の外周壁に軸方向に設けたキー突条５８を備えている。このような回り止めは、周壁における複数の溝でもよく、またはその外周面を楕円や矩形などの非円形平面としたり、接着剤で一体化することも可能である。
【実施例３】
【００３６】
図１０にはリンク１４，１６の後リンク部４０に設置する別の制動作用部を示す。この制動作用部は、後リンク部４０の両側壁６８の間に、固定シャフト２８に密に嵌装するプラスチック制動筒体７０と、該制動筒体の外周を取り囲む板バネ製の保持金具７２と、制動筒体７０および保持金具７２の平行延長部を貫通して後リンク部４０の底部７４にねじ込むボルト７６とを有する。
【００３７】
制動筒体７０は、その内周面が円形断面である湾曲部と、該湾曲部の両端から接線方向へ平行に延設する延長部７８，７８を備えることにより、固定シャフト２８の周面と接触する湾曲部の内周面が摩擦面となる。制動筒体７０の延長部７８，７８は、通常の状態で所定の縦間隙を有し、この間隙の存在によって湾曲部の内方変形による固定シャフト２８の締め付けが可能となる。保持金具７２は、制動筒体７０の外周面と密接する湾曲部および延長部８０，８０を有する。ボルト７６が上方延長部８０を下方へ作用することにより、保持金具７２の湾曲部を介して制動筒体７０を内方へ締め付ける。保持金具７２の湾曲部は、制動筒体７０の外周面のほぼ全体を取り囲む。
【００３８】
ボルト７６を回すと、保持金具７２および制動筒体７０を内方へ締め付け、該制動筒体によってリンク１４，１６を制動する。ボルト７６は、そのねじ込み量によって制動筒体７０に付与する制動力を容易且つ微妙に調整できる。この保持金具の延長部が横長であれば、ボルト７６を複数本立設することも可能である。
【実施例４】
【００３９】
図１１および図１２には、リンク１４，１６のさらに別の制動作用部を示し、この制動作用部は、シャフト２８に相当する回動シャフト８２がリンク１４，１６とともに旋回するように構成する。この制動作用部では、ブラケット１０，１２の軸孔２４（図２）をブラケット側壁においてより内方に位置させると好ましい。回動シャフト８２は、図１２に示すように、軸方向に沿って周面の両側８４，８４を平行に切削した非円形軸に形成され、さらに回動シャフト８２の一端部または両端部に雄ねじ山８６を刻設する。
【００４０】
回動シャフト８２には、その後方から金属ワッシャ８８および制動ディスク９０と、ブラケット１０，１２に設けた円形の軸孔２４、別の制動ディスク９２および金属ワッシャ９４を順次嵌合する。金属ワッシャ８８，９４および制動ディスク９０，９２は、回動シャフト８２の非円形軸に対応する非円形の貫通孔を有し、回動シャフト８２とともに回転・静止する。制動ディスク９０，９２は、炭素含有のポリアセタール樹脂のような耐磨耗性エンジニアリングプラスチックの射出成形品であると好ましい。制動ディスク９０，９２および金属ワッシャ８８，９４は、その両側面が平坦なドーナツ状である。金属ワッシャ８８と９４は通常同一形状であり、且つ制動ディスク９０と９２も通常同一形状である。金属ワッシャ８８，９４は、制動ディスク９０，９２と同じ外径または該ディスクよりも多少大きい外径を有する。
【００４１】
回動シャフト８２には、さらに３枚の皿バネ９６を挿入してナット９８を雄ねじ山８６にねじ込む。全体を嵌合してナット９８で締め付けると、３枚の皿バネ９６によって制動ディスク９０，９２は弾性的に金属ワッシャ８８，９４で押圧される。回動シャフト８２が回転すれば、両制動ディスク９０，９２および金属ワッシャ８８，９４はともに回転し、一方、ブラケット１０は静止している。
【００４２】
ナット９８は、ブラケット１０の両側面を制動ディスク９０，９２と面接触させて機構全体を締め付けることにより、回転する制動ディスク９０，９２の側面と、静止するブラケット１０の両側面が摩擦面となり、回動シャフト８２つまりリンク１４，１６を任意の旋回位置で静止できる。制動機構２８の摩擦抵抗つまり制動力は、ナット９８の締め付けを変えることで容易に調整できる。
【符号の説明】
【００４３】
１    旋回制動機構
３    跳ね上げカウンタ
５    可動天板
７    固定天板
１０    静止ブラケット
１２    可動ブラケット
１４    第１リンク
１６    第２リンク
２６    横スロット
２８    回動シャフト
３０    遊動シャフト
【図１】
0003191536.tif 000003
【図２】
0003191536.tif 000004
【図３】
0003191536.tif 000005
【図４】
0003191536.tif 000006
【図５】
0003191536.tif 000007
【図６】
0003191536.tif 000008
【図７】
0003191536.tif 000009
【図８】
0003191536.tif 000010
【図９】
0003191536.tif 000011
【図１０】
0003191536.tif 000012
【図１１】
0003191536.tif 000013
【図１２】
0003191536.tif 000014